【手続補正書】
【提出日】平成28年1月21日(2016.1.21)
【手続補正１】
【補正対象書類名】特許請求の範囲
【補正対象項目名】全文
【補正方法】変更
【補正の内容】
【特許請求の範囲】
【請求項１】
撮影レンズの外周を囲むように配置可能な照明装置であって、
該照明装置が前記撮影レンズの外周を囲むように支持された状態において該撮影レンズの径方向に対応する方向を該照明装置の径方向とし、該撮影レンズの前記外周を囲む方向を該照明装置の周方向とし、前記撮影レンズを通して撮影される被写界に向かう方向を該照明装置の光照射方向とするとき、
光源と、
該光源よりも前記径方向の内側において前記周方向に延びるように設けられ、前記光源からの光を前記光照射方向に反射する第１の反射部と、
前記光源よりも前記径方向の内側において前記径方向に延びるように設けられ、前記光源からの光を前記周方向のうち前記光源から離れる方向に延びる領域に向けて反射する第２の反射部と、を有することを特徴とする照明装置。
【請求項２】
前記光源は、前記周方向に対する接線方向を長手方向とする直管型または直線型の光源であることを特徴とする請求項１に記載の照明装置。
【請求項３】
前記第１の反射部は、前記光源から前記周方向に離れるほど前記光照射方向に位置するように、前記径方向に沿った面に対して傾斜していることを特徴とする請求項１または２に記載の照明装置。
【請求項４】
前記第１の反射部における前記径方向での内周側と外周側とで、前記光照射方向での位置が異なることを特徴とする請求項１から３のいずれか一項に記載の照明装置。
【請求項５】
前記第１の反射部は、前記径方向において前記光照射方向に向かって凹となる曲面により形成されていることを特徴とする請求項１から４のいずれか一項に記載の照明装置。
【請求項６】
前記第１の反射部は、前記光源に面する第１の領域と、前記第１の領域から前記周方向における一方と他方にそれぞれ延びる第２の領域とを有し、
前記第２の反射部として、前記光源から前記第１の領域に向かう光のうち一部を前記一方に延びる前記第２の領域に向けて反射する第１の面と、他の一部を前記他方に延びる前記第２の領域に向けて反射する第２の面とを有することを特徴とする請求項１から５のいずれか一項に記載の照明装置。
【請求項７】
前記第１の面と前記第２の面は、前記径方向の外周側になるほど互いの距離が近いことを特徴とする請求項６に記載の照明装置。
【請求項８】
前記周方向に配置された複数の前記光源と、
それぞれ前記各光源に対して設けられた複数の前記第１の反射部と、
それぞれ前記各第１の反射部に対して設けられた複数の前記第２の反射部とを有することを特徴とする請求項１から７のいずれか一項に記載の照明装置。
【請求項９】
前記光源から発散する光を、反射を用いて前記光源よりも前記径方向の内側に向かわせる集光部材を有し、
該集光部材は、前記光源側と前記第１の反射部側とに２つの焦点を持つ楕円形状の断面を有する反射面を備えていることを特徴とする請求項１から８のいずれか一項に記載の照明装置。
【請求項１０】
前記第１の反射部よりも前記光照射方向に配置され、前記光源から射出した光のうち、前記第１の反射部で反射して到達した光を前記光照射方向に透過させ、前記第１の反射部で反射されずに到達した光を前記光照射方向に反射するプリズム部を有することを特徴とする請求項１から９のいずれか一項に記載の照明装置。
【請求項１１】
前記光源は、前記周方向に対する接線方向を長手方向とする直管型または直線型の光源であり、
前記プリズム部は、前記光源の長手方向に沿って延びるように形成されていることを特徴とする請求項１０に記載の照明装置。
【請求項１２】
前記第１の反射部よりも前記光照射方向に配置され、前記光照射方向に向かう光を拡散させる光拡散部を有することを特徴とする請求項１から１１のいずれか一項に記載の照明装置。
【請求項１３】
前記光拡散部は、前記周方向に延びる複数のシリンドリカルレンズにより形成されていることを特徴とする請求項１２に記載の照明装置。
【請求項１４】
前記撮影レンズに対して装着および取り外しが可能であって、前記撮影レンズに装着されることにより前記撮影レンズの外周を囲むように配置されることを特徴とする請求項１から１３のいずれか一項に記載の照明装置。
【請求項１５】
円弧状に形成された第１の反射部と、
前記第１の反射部の径方向において、当該第１の反射部よりも外側に配置される光源と、
前記光源からの光を前記第１の反射部の周方向であって前記光源から離れる方向に反射する第２の反射部と、
前記第１の反射部で反射された光を射出する射出部と、を有し、
前記第１の反射部は、前記光源からの光及び前記第２の反射部からの光を前記射出部の方向に反射することを特徴とする照明装置。
【請求項１６】
前記射出部は、円弧状であることを特徴とする請求項１５に記載の照明装置。
【請求項１７】
前記第２の反射部は、前記射出部に対して略直交していることを特徴とする請求項１５または１６に記載の照明装置。
【請求項１８】
前記光源は、前記周方向に対する接線方向を長手方向とする直管型または直線型の光源であることを特徴とする請求項１５から１７のいずれか一項に記載の照明装置。
【請求項１９】
前記光源は複数あって、
前記第１の反射部及び前記第２の反射部は、前記複数の光源のそれぞれに対して設けられることを特徴とする請求項１５から１８のいずれか一項に記載の照明装置。
【請求項２０】
前記複数の光源は、２つの光源であって、
前記２つの光源は、それぞれの長手方向が互いに平行となるように配置されることを特徴とする請求項１９に記載の照明装置。
【請求項２１】
前記複数の第１の反射部は、それぞれの円弧の中心の位置が略等しくなるように配置されることを特徴とする請求項２０に記載の照明装置。
【請求項２２】
前記第１の反射部は、前記光源に面する位置から前記周方向における一方と他方にそれぞれ延びる領域とを有し、
前記第２の反射部として、前記光源からの光の一部を前記一方に延びる領域に向けて反射する第１の面と、前記光源からの光の他の一部を前記他方に延びる領域に向けて反射する第２の面とを有することを特徴とする請求項１５から２１のいずれか一項に記載の照明装置。
【請求項２３】
前記第１の面と前記第２の面は、前記径方向の外周側になるほど互いの距離が近いことを特徴とする請求項２２に記載の照明装置。
【手続補正２】
【補正対象書類名】明細書
【補正対象項目名】０００５
【補正方法】変更
【補正の内容】
【０００５】
本発明は、曲管型の光源を用いることなく、光源からの光を効率良く利用してマクロ撮影等に適した照明を行うことができるようにした照明装置を提供する。
【手続補正３】
【補正対象書類名】明細書
【補正対象項目名】０００６
【補正方法】変更
【補正の内容】
【０００６】
本発明の一側面としての照明装置は、撮影レンズの外周を囲むように配置可能であって、該照明装置が撮影レンズの外周を囲むように支持された状態において該撮影レンズの径方向に対応する方向を該照明装置の径方向とし、該撮影レンズの外周を囲む方向を該照明装置の周方向とし、撮影レンズを通して撮影される被写界に向かう方向を該照明装置の光照射方向とするとき、該照明装置は、光源と、該光源よりも径方向の内側において周方向に延びるように設けられた、光源からの光を光照射方向に反射する第１の反射部と、光源よりも径方向の内側において径方向に延びるように設けられ、光源からの光を周方向のうち光源から離れる方向に延びる領域に向けて反射する第２の反射部とを有することを特徴とする。
【手続補正４】
【補正対象書類名】明細書
【補正対象項目名】０００７
【補正方法】変更
【補正の内容】
【０００７】
本発明によれば、曲管型の光源を用いなくても、光源からの光を効率良く利用してマクロ撮影等に適した照明を行うことができる照明装置を実現することができる。